(57)【要約】【目的】本考案は放電管でオゾンを発生して、ジェット器によってオゾンと水とを合流してオゾン水にして、その構造が簡単で且つ巧緻で、使い易く、水の品質が改善でき、水質の清潔度を保持し、細菌が繁殖するのを防ぐことを目的とする。【構成】ケースと入水口とを具備し、上記入水口がホースと継手で水遮断器に連接され、水遮断器のもう一端がジェット器に連接されて、上記ジェット器が三叉継手になり、ジェット器の一つの継手がオゾン発生装置に連接され、ジェット器のもう一つの継手が出水口に連接されて構成するようにしたオゾン装置。【選択図】図１
0003140146.tif 000002
【実用新案登録請求の範囲】
【請求項１】
ケースと入水口とを具備し、上記入水口がホースと継手で水遮断器に連接されることにおいて、水遮断器のもう一端がジェット器に連接されて、上記ジェット器が三叉継手になり、ジェット器の一つの継手がオゾン発生装置に連接され、ジェット器のもう一つの継手が出水口に連接されて構成するようにしたことを特徴とするオゾン装置。
【請求項２】
オゾン発生装置がディスチャージチューブとディスチャージチューブに連接されるブースター回路からなって、上記ディスチャージチューブのガス出口端がジェット器に連接されて、上記ブースター回路がトランスと制御回路によって電源スイッチに連接されるようにしたことを特徴とする請求項１記載のオゾン装置。
【考案の詳細な説明】
【技術分野】
【０００１】
本考案はオゾン装置に関する。
【背景技術】
【０００２】
オゾン（Ｏ３）は酸素ガス（Ｏ２）のイソマーであり、酸素が高エネルギーステートにある存在形式であり、特に不安定で、常温に、随時可分解で酸素ガスと酸素原子に還元し、この時の酸素原子が強い酸化能力を持ち、それが早速に細菌細胞の細胞膜を通じて、さらに細菌を殺して、そして、それが病毒蛋白質薄膜と反応でき、病毒を死亡させて、それに、有機物とさまざまな臭いにあると、それが酸化反応を発生して無毒物質を生成する。オゾンのこの殺菌と、消毒と、汚い物や臭いを分解する功能と、純酸素ガスに還元することは、全て、空気を清浄する役割を果たす。
【０００３】
オゾンは、周知の可利用の最強酸化剤のひとつである。実際の使用中に、オゾンは殺菌と、消毒と、農薬の減成とが目立ち、一種のよく使う高効率の殺菌剤である。オゾンは細菌と真菌などの菌体蛋白質の外殻を酸化変性させ、細菌繁殖体と芽胞と病毒と真菌とを殺すことが出来る。よく見る大腸菌と、ストレプトコッカスフェカリと、金黄葡萄球菌などを殺す率が９９パーセント以上になる。オゾンはまた肝炎病毒と風邪病毒なども殺す。オゾンは室内の空気中で速めに均一に拡散して、消毒作用に死角がない。
【０００４】
オゾンは病毒細菌を殺し、また健康な細胞は強大なバランスシステムを持っているから、オゾンは健康な細胞に対して無害である。
【０００５】
オゾンは空気を殺菌して清浄して、病気を交叉して伝染していくのを防ぎ、寝室と客室と台所などの臭いを除くことができる。オゾンガスは室内にある掛布団と敷布団や、着物や、カーペットや、箪笥や、履戸棚や、お金などに対して殺菌と、消毒と、防かびと、除塵などの効能を果たす。わが国における日照時間が少ない地区には、湿度が高く、空気汚染が大きく、オゾンは更にその特殊作用を現していく。
【０００６】
オゾンの最適な方式はオゾンを水中に溶かし、「オゾン水」というものになる。欧米のある先進国は「オゾン水」を「万能水」と言っている。それの殺菌速度は塩素より何倍も速い。
【０００７】
オゾン水は女性と子供の使用する下着やズボン下やおしめやおくるみなどの殺菌消毒処理ができて、特に保健の役をはっきりと果たす。
【０００８】
オゾン水は瓜や果物や野菜や海産物や肉類などの食べ物に殺菌消毒をして、防腐かつ新鮮さを保って、ヘンな味を除くことが出来ると共に、瓜や果物や野菜などの表面に残る燐を含む農薬を解かし下す功能を持つ。
【０００９】
オゾン水を利用することによって、皮膚を清潔にし、皮膚を保養し、化粧品による皮膚への刺激を下げることができる。オゾン水で冷し、火傷と切り傷と打撲傷とを浸すことによって、傷口を速めに治して、感染を防ぐことができる。
【００１０】
オゾン水で洗って浸すことによって、皮膚病や真菌からの水虫の病気などを防ぐことが出来ると共に、オゾン水で頭も洗え、髪の毛の毛細管にある汚れが除け、髪の毛が落ちるのが減少する。
【００１１】
オゾン製品は、家庭や、病院や、宿屋や、ホテルや、美容院や、美髪院や、公共トイレや、食品加工業や、学校や、幼児園、養老院や、金融や、証券や、オフィスや、娯楽場や、軍隊や、工業や、農業、漁業や、養殖業や、環境保護などのさまざまな分野に利用できる。
【００１２】
人々がオゾンを認識していくに従って、人々はいよいよ使い易いオゾン装置を欲しいと思う。
【考案の開示】
【考案が解決しようとする課題】
【００１３】
本考案はその構造が簡単で且つ巧緻で、使用が便利で、水の品質が改善でき、水質の清潔度を保持し、細菌が繁殖するのを防ぐことを目的とするオゾン装置を提供する。
【課題を解決するための手段】
【００１４】
本考案は課題を解決するために以下の技術方案を採用する。
【００１５】
本考案のオゾン装置は、ケースと入水口とを具備し、上記入水口がホースと継手で水遮断器に連接され、水遮断器のもう一端がジェット器に連接されて、上記ジェット器が三叉継手になり、ジェット器の一つの継手がオゾン発生装置に連接され、ジェット器のもう一つの継手が出水口に連接される。
【００１６】
本考案の上記オゾン発生装置は、ディスチャージチューブとディスチャージチューブに連接されるブースター回路からなって、上記ディスチャージチューブのガス出口端がジェット器に連接されて、上記ブースター回路がトランスと制御回路によって電源スイッチに連接される。
【考案の効果】
【００１７】
本考案は放電管でオゾンを発生して、ジェット器によってオゾンと水とを合流してオゾン水を生成して、その構造が簡単で且つ巧緻で、使い易く、水の品質が改善でき、水質の清潔度を保持し、細菌が繁殖するのを防ぐ。
【考案を実施するための最良の形態】
【００１８】
図１のように、本考案のオゾン装置は、ケース１と入水口２とを具備し、上記入水口２がホース３と継手４で水遮断器５に連接され、水遮断器５のもう一端がジェット器６に連接されて、上記ジェット器６が三叉継手になり、ジェット器６の一つの継手がオゾン発生装置に連接され、ジェット器６のもう一つの継手が出水口１２に連接される。
【００１９】
本考案の上記オゾン発生装置は、ディスチャージチューブ７とディスチャージチューブ７に連接されるブースター回路８からなって、上記ディスチャージチューブ７のガス出口端がジェット器６に連接されて、上記ブースター回路８がトランス９と制御回路１０によって電源スイッチ１１に連接される。
【００２０】
以上で述べたのはただ本考案の実施形態の一つである。しかし、本考案のデザインアイディアはこれに限定されるものではなく、すなわち、本考案のアイディアに基づいて変形させることが可能であり、それらは本考案の範囲から排除するものではない。
【図面の簡単な説明】
【００２１】
【図１】本考案の構造を表す図である。
【符号の説明】
【００２２】
１  ケース
２  入水口
３  ホース
４  継手
５  水遮断器
６  ジェット器
７  ディスチャージチューブ
８  ブースター回路
９  トランス
１０  制御回路
１１  電源スイッチ
１２  出水口
【図１】
0003140146.tif 000003